(57)【要約】【課題】  サッカー、野球等で必要なライン、目印を形成するためのもので、簡単に設置や除去ができ、繰り返して使用できる区切り板を得ること。特に練習等で頻繁に使用できるものを得ること。【解決手段】  柔軟性がある合成樹脂、ゴムを材料として板状で通風孔が表面積の５〜８０％あるものを使用することによって課題が解決された。【選択図】  図１
0003109794.tif 000002
【実用新案登録請求の範囲】
【請求項１】
柔軟性がある合成樹脂、ゴムを材料として板状で通風孔が面積の５〜８０％ある球技やゲームこれらの練習にラインや目印として使用する区切り板
【考案の詳細な説明】
【技術分野】
【０００１】  本考案は、サッカー、野球等で必要なライン、目印を形成するためのもので、簡単に設置や除去ができ、繰り返して使用できる区切り板に関する。
【背景技術】
【０００２】  サッカー、野球等や運動場でするゲームを行う場合や正規の試合ばかりではなく、練習の時間や練習のためのコートの作成や目印が必要になり、練習の場合は特に頻繁にコートの作成や目印の変更がある。これらの目的で今までは、主に３つの方法が採られていた。１つはライン引きを用いて消石灰でラインや目印を作成する方法である。もう１つの方法はテープ状のものを釘状のもので固定して行う方法である。また、カラーコーンやマーカーコーンが利用されている。
しかしながら、消石灰という粉を扱うためライン引きという道具を必要とし、また、違う球技や練習をするため、消す場合は粉のため、なかなか消すことができず、次の競技や練習の障害になる場合がままあった。（また、借りたグランドの場合、元の状態に戻して返却する必要もある）また、テープ状のラインも使用されることはあったが、止め具を別途必要とし、また、直線性に難があった。また、特定の位置を示すため、或いはラインの代用として一定間隔で使用するものにカラーコーンやマーカーコーンがある。
【考案の開示】
【考案が解決しようとする課題】
【０００３】  本考案者は、サッカー、野球等や運動場でするゲームを行う場合特に練習時に使用する消石灰を利用する場合、ライン引きという道具を必要とし、消す場合は粉のためなかなか消すのが容易ではなく、保管や運搬にも粉や道具が必要なために問題が多かった。また、テープ状のラインも固定するのに釘状の器具を必要とし、設置や除去に時間が掛かっていた。また、コンクリート等の硬いグランドや人工芝の場合は利用できないことやグランドを痛めて使用ができない場合がある。カラーコーンやマーカーコーンの場合は、風で飛ばされたり、競技や練習に夢中になり、マーカーコーンを踏んだり滑ったりして、捻挫等の怪我をする場合があった。
以上のような問題点を解決することが本考案の課題である。
【課題を解決するための手段】
【０００４】  上記課題に対して試行錯誤の結果、だれにでも容易にすばやく設置ができ、且つ撤去もすぐにでき、さらには保管等も容易な方法のための用具を開発することに成功した。それは柔軟性のある材料で形は長方形、円形、Ｌ字状等必要な形を作成する。これに通風孔を空ける。まず材料であるが、柔軟性を必要とする。これは運動に使用するグランドの凹凸にも対応できることが１つの理由であるが、主の目的は風や人が接触したときのズレに対する効果があるためである。ズレが少ないことは区切り板の本来の目的を達成するために必要なことは勿論、大きくズレて人に当たって怪我などを少なくする目的もあるし、万が一ズレて（或いは飛んで）人に当たった場合でも柔軟性がある材質であると、怪我が少ない。また、ズレないためにはある程度の重さが必要である。この目的を達成するには後述する通風孔の大きさ等によって異なるが、１００ｃｍ２当たり５〜１００ｇ程度のものを用いることが好ましい。（ここでいう面積は後述する通風孔の部分も含めている）あまり重いと本考案のメリットである、設置や除去の容易性が犠牲になる。
本考案の目的を達する材料であれば特に限定はないが例示すれば、エチレン酢酸ビニル共重合体、エチレンメチルアクリレート共重合体、或いはこれらの混合物、天然ゴム、合成ゴム等が挙げられる。厚さに関しては特に限定はないが、あまり薄いと、耐久性が落ち、また、必要な単位面積当たりの重さが得られず、また、厚すぎると、保管するとき嵩張るし、本考案の目的である競技者がつまずいたりする可能性があるので、好ましくは１〜２ｍｍ程度がよい。
以上の材料を長方形、正方形、円、半円、四半円、Ｌ字状にし、通風孔を空ける。通風孔は柔軟性がある材質で区切り板を作成しても、かなりの重さにしないと風等によってズレることが本考案者らの実験よりわかり、通風孔を空けることで適度な重さで且つ風等でズレることを大幅に軽減できることがわかった。孔の形は特に限定はなく、円形、三角形、四角形、五角形、星形、ハート形等、個数は形状や長さ等によって変化し、特に限定はなく、形状、個数は美観等を考慮して作成すればよい。孔の総面積は、全体の面積の５〜８０％で、単位面積当たりの重さや使用場所よって変化するが、５％以下では、効果が少なく８０％以上では、形状を保つことが難しくなり、また、重さを得るためには材料の限定が著しくなり、また、厚さも必要以上に厚くなる。また、あまり通風孔が多いと、本来の目的である区切りとしても役割も低下する。
形に関しては目的を達する形であれば任意であるが、一番用いられるのは、長さ５０ｃｍ〜１ｍ、幅３〜１０ｃｍの長方形である。また、角を丸みを持たせることも有効である。
次に利用するのが多いのはＬ字状である。幅に関しては幅３〜１０ｃｍ、１辺の長さは５０ｃｍ〜１ｍが適当である。しかしながら、これを越える長さや幅であっても若干の扱いにくさを除けば問題はなく利用できる。カラーコーンやマーカーコーンの代用とする場合は円形も１つの選択肢である。通風孔は通常中心部に円形に作成するが、星形でも周辺部に幾つかに分けて作成してもよい。
色は特に限定はないが、目立つ色がよく、赤や黄、白等がよいが、グランドの色によって選択すればよい。また、表面に模様や絵を描くことも子供らによろこばせ製品価値が高まる場合もある。
また、天面または底面或いは側面に印を付し、メジャーの代用とすることも可能である。
【考案の効果】
【０００５】以下に効果を列記する。
消石灰を用いる場合と比較して
ａ．消石灰のように消す手間がいらない。
常設のコートであれば問題ないが、種々の目的に利用されるコートでは使用後消す必要があるし、また、短時間にコートとして利用する必要から、練習に応じて変更することが容易である。
ｂ．石灰で線を引くには道具がいるが本考案の場合は必要なし。
ライン引きは線を引くにはある程度の熟練もいるし、石灰をライン引きに入れるときに舞い上がったり、手についたりして非常に扱いづらい。
ｃ．持ち運ぶことが容易
石灰で線を引くときは石灰の入った袋とライン引きを必要とし、道具がその場所に常置されているような場所以外の使用のときに便利。
ｄ．長さを１ｍとかに決めて、或いは必要な長さの等分された長さであれば、コートの大きさをメージャー等を必要とせず、正確に書ける。
ｅ．保存場所が小さくて済むし、石灰のように粉でないので、扱いも容易であること。
ｆ．コンクリート等粉が付着しにくい場所でも使用できる。
テープ状のものと比較して
ａ．釘等の止め具を別途必要としないので、手間がかからないので、設置除去が容易で保管も容易である。
ｂ．釘等で止めると何回か使用すると、破れたりして耐久性が低い。
ｃ．釘等を使用しないタイプもあるが、ズレなどを起こしやすく特に使用するグランドの種類によっては使用に耐えないが、本考案はグランドの種類等を選ばない。
また、柔軟性がなく、通風孔のない場合は風等に飛ばされやすく、これを防ぐためには止め具を用いるか、底面に突起物を設けるなどをし、コンクリート等の硬いグランドでは使用できず、また、止め具や突起物があるため、保管や運搬するとき嵩張り、設置に手間がかかる。
カラーコーンやマーカーコーンと比較して
ａ．カラーコーンは３０〜６０ｃｍ、マーカーコーンでも５〜１０ｃｍの高さがあり、競技に夢中で特に子供の場合は、引っ掛けたり躓いたりして怪我しやすいが本考案のものはこのようなことが少ない。また、柔軟性があるため、及び穴が開いているために本品上にスパイク等靴が乗っても滑ることが少なく、この面でも安全である。また、これは立体なので、保管にも場所が要る。
以上のように構造的には単純であるが、今までのものに比較して設置や除去が容易であり、コストも掛からず優位なものを提供できた。
【実施例】
【０００６】  実施例１
長さ６０ｃｍ、幅６ｃｍ、厚さ１．５ｍｍで材質はエチレン酢酸ビニル共重合体で色は赤色で、直径３ｃｍの通風孔が７つあるもの【０００７】  実施例２
Ｌ字状で一辺の長さ１ｍ、幅１０ｃｍ、厚さ２ｍｍで材質はエチレン酢酸ビニル共重合体で色は白色で、星形の通風孔を９つ有する。【０００８】  実施例３
直径２５ｃｍの円形で厚さ５ｍｍで材質は合成ゴムで色は黄色で中心部に直径８ｃｍの通風孔を有する。
【図面の簡単な説明】
【０００９】
【図１】実施例１の斜視図である。
【図２】実施例２の斜視図である。
【図３】実施例３の斜視図である。
【図１】
0003109794.tif 000003
【図２】
0003109794.tif 000004
【図３】
0003109794.tif 000005